【事件の表示】
　平成　９年特許願第１１１４５４号「音楽信号再生装置」拒絶査定に対する審判事件［平成１０年　３月１０日出願公開、特開平１０−　６９２８８］について、次のとおり審決する。
【結　論】
　本件審判の請求は、成り立たない。
【理　由】
I【手続きの経緯、本願発明】
　本願は、平成３年９月６日に出願した特願平３−２２７００９号の一部を平成９年４月２８日に新たな特許出願としたものであって、その請求項１に係る発明（以下「本願発明」という。）は、平成１１年７月３０日付けで補正された明細書及び図面の記載からみて、その特許請求の範囲の請求項１に記載された次のとおりのものである。
「【請求項１】曲目情報に基づいて複数の曲から所望の曲が選択されて、順次再生される音楽信号再生装置において、
　上記選択された所望の曲に対応したアクセス回数が記憶される記憶手段と、
　選択が行われる毎に上記記憶手段に記憶されている選択された曲に対応するアクセス回数を更新する更新手段と、
　所定の設定された期間毎の上記記憶手段に記憶されている選択された曲に対応するアクセス回数の累積加算値を告知する告知手段とを備えた
　音楽信号再生装置。」
II【引用例に記載された発明】
　これに対して、原査定の拒絶の理由に引用された特開平２−２３２８８７号公報（以下「引用例」という。）には、「情報再生装置」（発明の名称）に関し、図面と共に次のとおりの記載がある。
１．「〔産業上の利用分野〕
　本発明は、情報再生装置に係り、特にカラオケシステムにおける選曲予約状況の表示が可能な情報再生装置に関する。」（公報第２頁左上欄第２行〜第５行）
２．「〔従来の技術〕
　カラオケシスデムには、家庭用から業務用まで各種あり、また構成面から分類すれば、８トラックテープを用いたものから映像出力が可能なレーザカラオケシステムまで各種多様なものがある。
　第５図に、レーザカラオケシステム例の概要を示す。第５図において、記憶媒体（レーザビジョンディスク）５００が本体部１００内のソース再生装置（ＬＤプレイヤー）１にセットされ、記憶されている音楽信号および映像信号が再生される。
普楽信号はスピーカ３００から出力され、映像信号はモニタＴＶ４００から出力される。このとき、ミキシング用マイク２００から歌い手が音声入力を行うことにより、その音声入力はソース再生装置１に内蔵されたミキシングアンプ（図示せず）により音楽信号に混合され、その混合信号はスピーカ３００から出力され、いわゆるカラオケを行うことができる。
　以上の再生動作は、本体部１００内のシステムコントローラ２により統括的に制御される。符号３はソースメモリであり、当核ソース再生装置１において取扱いが可能な曲名リストが格納されている。符号４は予約メモリであり、予約リモートコントロール入力装置９からの予約情報１０が受信部８を介し、かつ、システムコントローラ２によりＦＩＦＯで登録される。システムコントローラ２は再生ごとにシステムコントローラ２に格納された予約情報１０に基づいて選曲動作して再生を行う。
　以上のカラオケシステムを業務用として運用する場合、まず、客から歌いたい曲名（インデックス情報）が予約される。このとき、曲名の他に予約者または予約者のデーブルの番号等の予約元情報も知らされる。以下、これらの「インデックス情報」、「予約元情報」等を総称して「予約情報」といい、先の予約情報１０と同義で用いる。　予約情報１０が与えられると、操作者は受付順（予約順位）の早いものから再生すべく、予約リモートコントロール入力装置９により予約情報１０を予約メモリ４に登録し、予約された曲名の入った記録媒体は５００を検索して探し出し、その記憶媒体５００を情報再生装置にセットしたのち始動する。ここで、事前に予約者名（予約元情報）がアナウンスされる。この呼び出しに応じて予約者はマイク２００より音声入力し、いわゆるカラオケが演奏されることになる。」（公報第２頁左上欄第６行〜同頁左下欄第１１行）
３．「〔実施例〕
　次に、本発明の実施例を図面に基づいて説明する。
　第１図に本発明の実施例を示す。なお、この第１図において、第５図と重複する部分には同一の符号を附してその説明は省略する。
　第１図において第５図と異なる点は、予約情報１０をその予約順位ごとにそれぞれ区別して表示する表示装置を備えた点にある。
　この表示装置はシステムコントローラ２から予約情報１０に関するデータを受け、所定の表示形式のデータに整理編集して表示制御信号１１、１２を出力する予情況表示制御部６と、表示制御信号１１を受けて操作者用の予約状況データをモニタ表示する操作者用モニタディスプレイ７と、表示制御信号１２を受けて利用者用の予約状況データをモニタ表示する利用者用モニタディスプレイ１３と、を備えて構成される。表示切替装置５は、ソース再生装置１からの映像信号がない場合に予状況表示制御部６からの表示制御信号１２をモニタＴＶ４００上に表示するためのものである。したがって、予約状況に関するデータは、モニタＴＶ４００においてはカラオケを行なっていない空き時間に表示されることになる。
　ここで、第２図に利用者用モニタディスプレイ１３上に表示される予約状況データの例を示し、第３図に操作者用モニタディスブレイ７上に表示されるデータの例を示す。
　第２図に示すように、利用者用モニタディスプレイ１３上に表示される予約状況データとしては、「予約順位」、「曲名 」、「予約元情報 」 がある。「予約順位」としては、現在演奏中、次の予約、その次の予約、更にその次の予約の順番まで表示する。この例に限定されるものではないが、利用者側において準備可能な範囲で先行的に知らせうるようにする。「曲名」は各予約順位に対応させる。「予約元情報」としては、利用者（すなわち、客）の名前をイニシャル表示や、当該利用者のテーブルNo.等を表示することが考えられる。
　上記予約状況データは予約リモートコントロール入力装置９から受信部８を介して人力された予約情報１０によりシステムコントローラ２が生成し、出力する。
　一方、第３図に示すように、操作者用モニタディスプレイ７に表示される予約状況データとしては「予約順位」、「曲名」、「テーブルNo.」に加えて、各予約曲が記録されている「記憶媒体No.」および「利用回数」 がある。「記憶媒体No.」を操作者用モニタディスプレイ７に表示することは、操作者が記録媒体を探し出す際の参考となり、迅速に記憶媒体を取り出せるという効果がある。また、「利用回数」を表示することは、当該予約曲の利用度（または、人気度、流行度）といった集計用のデータを提供できる効果がある。上記各予約状況データは予約リモートコントロール人力装置９から受信部８を介して入力された予約情報１０によりシステムコントローラ２が生成し出力する。」（公報第３頁左上欄第１０行〜同頁右下欄第７行）
III【対比】
　本願発明と引用例に記載された発明とを対比すると、次のことが認められる。
（１）引用例には、カラオケシステムにおける選曲予約状況の表示が可能な情報再生装置が記載されており（引用例の上記１．の記載参照）、引用例に記載のものも本願発明と同様の“曲目情報に基づいて複数の曲から所望の曲が選択されて、順次再生される音楽信号再生装置”を対象としているといえる。
（２）引用例には、操作者用モニタディスプレイ上に表示される予約状況データとしては、「予約順位」、「曲名」、「テーブルNo.」に加えて、各予約曲が記録されている「記憶媒体No.」および「利用回数」 があり、「利用回数」を表示することは、当該予約曲の利用度（または、人気度、流行度）といった集計用のデータを提供できること、また上記予約状況データは、システムコントローラから予約情報に関するデータを受け、所定の表示形式のデータに整理編集して表示制御信号を出力し、操作者用の予約状況データを操作者用モニタディスプレイで表示することが記載されており（引用例の上記３．の記載参照）、さらに予約メモリは、予約リモートコントロール入力装置からの予約情報が受信部を介し、かつシステムコントローラによりＦＩＦＯで登録され、システムコントローラは再生ごとにシステムコントローラに格納された予約情報に基づいて選曲動作して再生を行うことも記載されている（引用例の上記２．の記載参照）。
　そこには、利用回数などの予約情報（予約状況データ）をシステムコントローラから受けモニタ表示すること、また予約情報は、システムコントローラにより予約メモリに登録されることは示されているが、予約メモリ自体に上記利用回数が記憶されるか否かは明示されていない。しかしながら引用例に記載のものも、選曲された予約曲の利用回数を表示し、集計用のデータを得るものである以上、その利用回数を記憶するの記憶手段を有していることは明らかであり、本願発明でいう“上記選択された所望の曲に対応したアクセス回数が記憶される記憶手段”を有するものといえる。
　また、上記選曲された予約曲の利用回数は集計用のデータとして提供されるものであるから、その選曲が行われる毎に、予約曲の利用回数を更新する更新手段を有することも当然のことであり、引用例に記載のものも、本願発明でいう“選択が行われる毎に上記記憶手段に記憶されている選択された曲に対応するアクセス回数を更新する更新手段”を有するものといえる。
　さらに、引用例に記載のものも、上記選曲された予約曲の利用回数の累積加算値を操作者用モニタディスプレイで表示するものであり、そのような表示が、告知の一態様であることは自明であるから、引用例に記載のものも、本願発明でいう“上記記憶手段に記憶されている選択された曲に対応するアクセス回数の累積加算値を告知する告知手段”を有するものといえる。
（３）以上の（１）、（２）の点を踏まえると、両発明は共に、「曲目情報に基づいて複数の曲から所望の曲が選択されて、順次再生される音楽信号再生装置において、
　上記選択された所望の曲に対応したアクセス回数が記憶される記憶手段と、
　選択が行われる毎に上記記憶手段に記憶されている選択された曲に対応するアクセス回数を更新する更新手段と、
　上記記憶手段に記憶されている選択された曲に対応するアクセス回数の累積加算値を告知する告知手段とを備えた
　音楽信号再生装置。」である点で一致し、次の点で相違する。
　相違点　
　告知手段が、本願発明では、「所定の設定された期間毎の」上記記憶手段に記憶されている選択された曲に対応するアクセス回数の累積加算値を告知するのに対して、引用例には、選曲された予約曲の利用回数を表示し、利用度（人気度、流行度）といった集計用のデータを提供することは示されているが、その利用回数の集計期間については明示がない点。
IV【当審の判断】　
　そこで、上記相違点について検討する。
　引用例に記載のカラオケ装置も、選曲された予約曲の利用回数を表示することによって、予約曲の利用度、人気度、流行度といった集計用のデータを提供するもので（引用例の上記３．の記載参照）、利用度、人気度、流行度といった時系列データを示す利用回数を集計するのであるから、利用回数を一定の期間毎に集計することは自然に想起し得ることである。またカラオケ装置において、多数のＣＤ曲の一定期間毎の使用回数を順次積算して監視し、多数のＣＤ曲のうち使用頻度の低いものを交換できるようにすることは、例えば、特開平１−１７３４８９号公報にも示されているように周知技術であることを勘案すると、引用例に記載のカラオケ装置において、利用回数を、例えば、１カ月等の設定された期間毎に集計して監視（表示）すること、すなわち、告知手段が「所定の設定された期間毎の」上記記憶手段に記憶されている選択された曲に対応するアクセス回数の累積加算値を告知することは当業者が容易になし得ることといえる。
　そして、本願発明の効果についてみても、予測し得る範囲内のもので格別顕著なものがあるとはいえない。
　なお、本願発明は、全ての曲のアクセス回数の累算加算値を告知するものだとしても、引用例に記載の「カラオケ装置」及び周知技術の「カラオケ装置」において、全ての曲目の利用回数が記憶されているのであるから、利用回数の集計に当って全ての曲の利用回数を告知（表示）することは当業者が適宜になし得ることといえる。
V【むすび】
　したがって、本願発明は、引用例に記載された発明に基づいて当業者が容易に発明をすることができたものであるから、特許法第２９条第２項の規定により特許を受けることができない。
　よって、結論のとおり審決する。